(57)【要約】【解決手段】人造ネイル及び人造ネイル用転写組立セットが開示される。本発明の一実施形態に係る人造ネイルは、複数の第１完全切断線が形成されたデザイン層と、デザイン層の下部に設けられ、ネイル本体に粘着される粘着層とを含む。【選択図】  図１
2019514608.tif 000002
【特許請求の範囲】
【請求項１】
複数の第１完全切断線が形成されたデザイン層と、
前記デザイン層の下部に設けられ、ネイル本体に粘着される粘着層とを含む、人造ネイル。
【請求項２】
前記第１完全切断線の一側端は前記デザイン層の外面を切り込み、前記デザイン層の他側端は前記デザイン層の長手方向及び幅方向に外面から内側に向けてそれぞれ前記デザイン層の長さ及び幅の５％〜５０％に亘って前記デザイン層を切り込む、請求項１に記載の人造ネイル。
【請求項３】
前記デザイン層に形成された前記第１完全切断線の全長は前記デザイン層の外面の長さの３〜５００％であり、前記第１完全切断線の総面積は前記デザイン層の表面積の０．５〜２５％である、請求項１に記載の人造ネイル。
【請求項４】
前記第１完全切断線は、所定の幅を有する直線形完全切断線と前記デザイン層の外面から内側に向うに従って幅が減少又は増加するテーパー形状の完全切断線と所定の幅を有する曲線形状の完全切断線の少なくとも一方を含む、請求項１に記載の人造ネイル。
【請求項５】
前記デザイン層は、
複数の前記第１完全切断線によって区画され、前記粘着層を介して前記ネイル本体に粘着される複数の単位デザイン層を含む、請求項１に記載の人造ネイル。
【請求項６】
前記デザイン層は、
前記第１完全切断線の間に形成され、複数の前記単位デザイン層の分離を防止する連結部をさらに含む、請求項５に記載の人造ネイル。
【請求項７】
前記デザイン層と前記粘着層の間に介在される、又は前記デザイン層の上面に積層され、前記デザイン層の複数の前記第１完全切断線が形成された位置に対応して複数の第２完全切断線が形成された基材層をさらに含む、請求項１に記載の人造ネイル。
【請求項８】
前記デザイン層は透明又は不透明ホログラムフィルム又はシートであり、
前記基材層は、少なくとも一以上のカラーインクが印刷されている、又は金属薄膜が蒸着された透明又は不透明のフィルム又はシートである、請求項７に記載の人造ネイル。
【請求項９】
前記粘着層には、
前記デザイン層の複数の第１完全切断線が形成された位置に対応して複数の第３完全切断線が形成されている、請求項１に記載の人造ネイル。
【請求項１０】
複数の第１完全切断線が形成されたデザイン層、前記デザイン層の下部に設けられ、離型紙に剥離可能に粘着される粘着層及び前記デザイン層及び前記粘着層の間に介在される、又は前記デザイン層の上面に積層される基材層を備えたステッカーと、
本体部、及び前記本体部の下部に設けられ、前記離型紙に粘着された前記デザイン層の上面又は前記基材層の上面を接触押圧する場合、前記デザイン層と前記基材層と前記粘着層が一体に粘着される粘着部を備え、前記離型紙から前記デザイン層、前記基材層及び前記粘着層を剥離させた後、前記デザイン層、前記基材層及び前記粘着層を人造ネイルのネイル本体に接触させて押圧して付着する転写体とを含む、人造ネイル用転写組立セット。
【請求項１１】
前記粘着層と前記ネイル本体との間の粘着力が前記デザイン層又は前記基材層と前記粘着部との間の粘着力より大きく形成される、請求項１０に記載の人造ネイル用転写組立セット。
【請求項１２】
前記粘着層の粘着力は３００〜２５，０００ｇｆ／ｉｎであり、
前記粘着部の粘着力は５〜１５，０００ｇｆ／ｉｎである、請求項１０に記載の人造ネイル用転写組立セット。
【請求項１３】
前記粘着部は粘着力を有し、オレフィン樹脂、アクリル樹脂、ウレタン樹脂、シリコン樹脂及びゴムから選択されたいずれか１種又は２種以上の混合物からなる材質から形成される、請求項１０に記載の人造ネイル用転写組立セット。
【請求項１４】
前記粘着部はクッションを有するシート（ｓｈｅｅｔ）又はフォーム（ｆｏａｍ）の形態に製造される、請求項１３に記載の人造ネイル用転写組立セット。
【請求項１５】
前記転写体は、
前記本体部から延伸して折り曲がるように形成され、下面に前記粘着部が付着され、上面が押圧される平面形状又は曲面形状を有する押圧部をさらに含み、
前記本体部は前記デザイン層又は前記基材層を接触押圧させても弾性復元可能な材質から製造される、請求項１０に記載の人造ネイル用転写組立セット。
【請求項１６】
前記押圧部は前記デザイン層又は前記基材層の大きさに応じて相違する大きさにて前記本体部の両端に設けられ、
前記押圧部が曲面形状を有する場合、前記押圧部の幅方向の曲率半径は１０〜３６０ｍｍ、前記押圧部の長手方向の曲率半径は３０〜４００ｍｍである、請求項１５に記載の人造ネイル用転写組立セット。
【請求項１７】
前記離型紙の表面張力は単位幅当たり３６ｄｙｎｅ／ｃｍ以下である、請求項１０に記載の人造ネイル用転写組立セット。
【発明の詳細な説明】
【技術分野】
【０００１】
本発明は、人造ネイル及び人造ネイル用転写組立セットに関し、より詳しくは、３次元曲面を有するネイル本体に複数の完全切断線を有するデザイン層が付着されている人造ネイル及び人造ネイル用転写組立セットに関する。
【背景技術】
【０００２】
使用者は人造ネイルなどを付着して爪の長さや形状などを変える。また、平面装飾物又は立体装飾物を人造ネイルに付着又は粘着させれば、人造ネイルの美観を向上させることができる。
【０００３】
一般に、人造ネイルのネイル本体に付着されるデザイン層はゴワゴワした（ｓｔｉｆｆ）材質のフィルムから形成され、平面形状であるので、３次元曲面を有するネイル本体に付着する過程においてしわなどが生じるという問題がある。
【０００４】
そこで、従来は、前述した問題を解消するために、デザイン層をネイル本体に付着させた後、しわなどを除去する作業を行っていた。
【０００５】
しかし、作業者が手作業でデザイン層に生じたしわなどを除去しなければならないため、作業能力の低い素人がしわなどを除去する際には作業時間が多くかかるとともに人造ネイルの製造コストが上昇するという問題がある。また、しわなどを除去する工程中にデザイン層などに異物が付いて汚染のおそれがあるという問題点がある。
【０００６】
したがって、ネイル本体にデザイン層を付着する際にしわなどが生じないようにする方策が必要である。
【発明の概要】
【発明が解決しようとする課題】
【０００７】
したがって、本発明が解決しようとする技術的課題は、人造ネイルのネイル本体にデザイン層を付着させるに際して、しわなどの発生を防止することが可能な人造ネイル及び人造ネイル用転写組立セットを提供することである。
【課題を解決するための手段】
【０００８】
本発明の一態様によれば、複数の第１完全切断線が形成されたデザイン層と、前記デザイン層の下部に設けられ、ネイル本体に粘着される粘着層とを含む、人造ネイルを提供する。
【０００９】
前記第１完全切断線の一側端は前記デザイン層の外面を切り込み（切開し）、前記デザイン層の他側端は前記デザイン層の長手方向及び幅方向に外面から内側に向けてそれぞれ前記デザイン層の長さ及び幅の５％〜５０％に亘って前記デザイン層を切り込むことが好ましい。
【００１０】
前記デザイン層に形成された前記第１完全切断線の全長は前記デザイン層の外面の長さの３〜５００％であり、前記第１完全切断線の総面積は前記デザイン層の表面積の０．５〜２５％であることが好ましい。
【００１１】
前記第１完全切断線は、所定の幅を有する直線形完全切断線と前記デザイン層の外面から内側に向うに従って幅が減少又は増加するテーパー形状の完全切断線と所定の幅を有する曲線形状の完全切断線の少なくとも一方を含むことが好ましい。
【００１２】
前記デザイン層は、複数の前記第１完全切断線によって区画され、前記粘着層を介して前記ネイル本体に粘着される複数の単位デザイン層を含むことが好ましい。
【００１３】
前記デザイン層は、前記第１完全切断線の間に形成され、複数の前記単位デザイン層の分離を防止する連結部をさらに含むことが好ましい。
【００１４】
前記デザイン層と前記粘着層の間に介在される、又は前記デザイン層の上面に積層され、前記デザイン層の複数の前記第１完全切断線が形成された位置に対応して複数の第２完全切断線が形成された基材層をさらに含むことが好ましい。
【００１５】
前記デザイン層は透明又は不透明ホログラムフィルム又はシートであり、前記基材層は少なくとも一以上のカラーインクが印刷されている、又は金属薄膜が蒸着された透明又は不透明のフィルム又はシートであることが好ましい。
【００１６】
前記粘着層には、前記デザイン層の複数の第１完全切断線が形成された位置に対応して複数の第３完全切断線が形成されていることが好ましい。
【００１７】
本発明の他の態様によれば、複数の第１完全切断線が形成されたデザイン層、前記デザイン層の下部に設けられ、離型紙に剥離可能に粘着される粘着層及び前記デザイン層及び前記粘着層の間に介在される、又は前記デザイン層の上面に積層される基材層を備えたステッカーと、本体部、及び前記本体部の下部に設けられ、前記離型紙に粘着された前記デザイン層の上面又は前記基材層の上面を接触押圧する場合、前記デザイン層と前記基材層と前記粘着層が一体に粘着される粘着部を備え、前記離型紙から前記デザイン層、前記基材層及び前記粘着層を剥離させた後、前記デザイン層、前記基材層及び前記粘着層を人造ネイルのネイル本体に接触押圧させて付着する転写体とを含む、人造ネイル用転写組立セットを提供する。
【００１８】
前記粘着層と前記ネイル本体との間の粘着力が前記デザイン層又は前記基材層と前記粘着部との間の粘着力より大きく形成されることが好ましい。
【００１９】
前記粘着層の粘着力は３００〜２５，０００ｇｆ／ｉｎであり、前記粘着部の粘着力は５〜１５，０００ｇｆ／ｉｎであることが好ましい。
【００２０】
前記粘着部は粘着力を有し、オレフィン樹脂、アクリル樹脂、ウレタン樹脂、シリコン樹脂及びゴムから選択されたいずれか１種又は２種以上の混合物からなる材質から形成されることが好ましい。
【００２１】
前記粘着部はクッションを有するシート（ｓｈｅｅｔ）又はフォーム（ｆｏａｍ）の形態に製造されることが好ましい。
【００２２】
前記転写体は、本体部、及び前記本体部から延伸して折り曲がるように形成され、下面に前記粘着部が付着され、上面が押圧される平面形状又は曲面形状を有する押圧部をさらに含むことができ、前記本体部は前記デザイン層又は前記基材層を接触押圧させても弾性復元可能な材質から製造されることが好ましい。
【００２３】
前記押圧部は前記デザイン層又は前記基材層の大きさに応じて相違する大きさにて前記本体部の両端に設けられ、前記押圧部が曲面形状を有する場合、前記押圧部の幅方向の曲率半径は１０〜３６０ｍｍ、前記押圧部の長手方向の曲率半径は３０〜４００ｍｍであることが好ましい。
【００２４】
前記離型紙の表面張力は単位幅当たり３６ｄｙｎｅ／ｃｍ以下であることが好ましい。
【発明の効果】
【００２５】
本発明によれば、人造ネイルのネイル本体に付着されるデザイン層に複数の第１完全切断線を形成することにより、ネイル本体にデザイン層を付着させる場合にデザイン層にしわなどが生じることを防止することが可能となる。
【００２６】
また、本発明によれば、デザイン層に形成された複数の第１完全切断線により、観察角度によってきらめき及び色相が変わるので、外観をさらに向上させることが可能となる。
【図面の簡単な説明】
【００２７】
【図１】本発明に係る人造ネイル用転写組立セットを示す斜視図である。
【図２】本発明の他の実施形態に係る転写体を示す断面図である。
【図３】本発明に係るステッカーを示す断面図である。
【図４】本発明に係るステッカーのデザイン層を示す平面図である。
【図５】本発明に係る押圧部の曲率半径を示す側面図である。
【図６】本発明に係るステッカー転写方法を示すフローチャートである。
【図７】本発明に係り、ステッカーからデザイン層を剥離する動作を示す動作状態図である。
【図８】本発明に係り、ネイル本体にデザイン層を付着する動作を示す動作状態図である。
【図９】本発明に係る人造ネイルを示す斜視図である。
【図１０】本発明に係る人造ネイルを示す断面図である。
【発明を実施するための形態】
【００２８】
本発明と本発明の動作上の利点及び本発明の実施によって達成される目的を充分に理解するためには本発明の好適な実施形態を例示する添付図面及び添付図面に記載された内容を参照しなければならない。
【００２９】
以下、添付図面に基づいて本発明の好適な実施形態を説明することによって本発明を詳細に説明する。各図に提示した同じ参照符号は同じ部材を示す。
【００３０】
図１は本発明に係る人造ネイル用転写組立セットを示す斜視図、図２は本発明の他の実施形態に係る転写体を示す断面図、図３は本発明に係るステッカーを示す断面図、図４は本発明に係るステッカーのデザイン層を示す平面図、図５は本発明に係る押圧部の曲率半径を示す側面図である。
【００３１】
図１〜図３を参照して、本発明に係る人造ネイル用転写組立セット１００は、デザイン層１１７、デザイン層１１７の下面に設けられた基材層１１５及び基材層１１５の下面に設けられ、離型紙１１１に剥離可能に粘着される（ａｄｈｅｒｅｄ、付着される）粘着層（ａｄｈｅｓｉｖｅ  ｌａｙｅｒ、付着層）１１３を備えたステッカー１１０と、ステッカー１１０に粘着されたデザイン層１１７、基材層１１５及び粘着層１１３を一体的に剥離し、剥離されたデザイン層１１７、基材層１１５及び粘着層１１３を人造ネイル２００のネイル本体Ｍに付着させる（ａｔｔａｃｈ、貼り付ける）転写体１３０，１３０ａとを含む。また、本実施形態に係る基材層１１５はデザイン層１１７の上面に設けることもできる。
【００３２】
本発明に係る人造ネイル用転写組立セット１００は、転写体１３０，１３０ａを用い、転写体１３０，１３０ａにデザイン層１１７、基材層１１５及び粘着層１１３を一体に粘着させ、転写体１３０，１３０ａをネイル本体Ｍの上部に転写した（移した）後、デザイン層１１７、基材層１１５及び粘着層１１３をネイル本体Ｍに接触押圧する（接触させた状態で押圧する、押し付ける）ことにより、デザイン層１１７、基材層１１５及び粘着層１１３を容易にネイル本体Ｍに付着させることができる。
【００３３】
図３を参照して、本実施形態に係るステッカー１１０は、離型紙１１１の上面に粘着層１１３が剥離可能に粘着され、粘着層１１３の上面に、基材層１１５、デザイン層１１７の順に、又はデザイン層１１７、基材層１１５の順に積層されている。
【００３４】
離型紙１１１は、紙（Ｐａｐｅｒ）、ポリ塩化ビニル（Ｐｏｌｙ  Ｖｉｎｙｌ  Ｃｈｌｏｒｉｄｅ；ＰＶＣ）、ポリエチレン（ｐｏｌｙｅｔｈｙｌｅｎｅ；ＰＥ）、ポリウレタン（ｐｏｌｙｕｒｅｔｈａｎｅ；ＰＵ）、ポリプロピレン（ｐｏｌｙｐｒｏｐｙｌｅｎｅ；ＰＰ）、ポリエチレンフタレート（Ｐｏｌｙｅｔｈｙｌｅｎｅ  ｐｈｔｈａｌａｔｅ；ＰＥＴ）、ポリオレフィンエラストマー（Ｐｏｌｙｏｌｅｆｉｎ  Ｅｌａｓｔｏｍｅｒ；ＰＯＥ）、エチレン酢酸ビニル共重合体（ｅｔｈｙｌｅｎｅ−ｖｉｎｙｌ  ａｃｅｔａｔｅ  ｃｏｐｏｌｙｍｅｒ；ＥＶＡ）及びアクリル（ａｃｒｙｌｉｃ）系樹脂から選択されたいずれか１種、又はこれらの重合体からなるフィルム又はシートにシリコン、テフロン（登録商標）、フッ素などを表面コートすることによって製造することができる。
【００３５】
離型紙１１１の上面には、粘着層１１３、基材層１１５、デザイン層１１７の順に、又は粘着層、デザイン層１１７、基材層１１５の順に積層されている。そして、粘着層１１３、基材層１１５及びデザイン層１１７は離型紙１１１から一体的に剥離される。
【００３６】
本実施形態においては、離型紙１１１の表面張力を単位幅当たり３６ｄｙｎｅ／ｃｍ以下にして、離型紙１１１から粘着層１１３を容易に剥離可能とするとともに離型紙１１１の破断及びポップアップ現象を防止を図っている。
【００３７】
そして、粘着層１１３の粘着力は３００〜２５，０００ｇｆ／ｉｎであることが好ましい。粘着力の測定はＡＳＴＭ  Ｄ３３３０  １８０度剥離試験によって行うことができる。
【００３８】
例えば、基材層１１５とデザイン層１１７が積層された粘着層１１３を人造ネイル２００のネイル本体Ｍに付着させる場合、粘着層１１３の粘着力が３００ｇｆ／ｉｎ未満の場合には粘着層１１３がネイル本体Ｍから浮き上がってネイル本体Ｍから簡単に分離するおそれがあり、粘着層１１３の粘着力が２５，０００ｇｆ／ｉｎを超える場合、使用者が交換のために粘着層１１３をネイル本体Ｍから分離させるときにネイル本体Ｍが損傷するおそれがある。
【００３９】
したがって、粘着層１１３の粘着力は３００〜２５，０００ｇｆ／ｉｎであることが好ましい。
【００４０】
本実施形態において、基材層１１５は、図３（ａ）及び図３（ｂ）に示すように、粘着層１１３の上面に、又は図３（ｃ）及び図３（ｄ）に示すように、デザイン層１１７の上面に積層されている。
【００４１】
基材層１１５は、ポリ塩化ビニル（Ｐｏｌｙ  Ｖｉｎｙｌ  Ｃｈｌｏｒｉｄｅ；ＰＶＣ）、ポリエチレン（ｐｏｌｙｅｔｈｙｌｅｎｅ；ＰＥ）、ポリウレタン（ｐｏｌｙｕｒｅｔｈａｎｅ；ＰＵ）、ポリプロピレン（ｐｏｌｙｐｒｏｐｙｌｅｎｅ；ＰＰ）、ポリエチレンフタレート（Ｐｏｌｙｅｔｈｙｌｅｎｅ  ｐｈｔｈａｌａｔｅ；ＰＥＴ）、ポリオレフィンエラストマー（Ｐｏｌｙｏｌｅｆｉｎ  Ｅｌａｓｔｏｍｅｒ；ＰＯＥ）、エチレン酢酸ビニル共重合体（ｅｔｈｙｌｅｎｅ−ｖｉｎｙｌ  ａｃｅｔａｔｅ  ｃｏｐｏｌｙｍｅｒ；ＥＶＡ）及びアクリル（ａｃｒｙｌｉｃ）系樹脂などから選択されたいずれか１種、又はこれらの重合体からなるフィルム又はシートであってもよい。
【００４２】
そして、図示しないが、基材層１１５の上面又は下面はスクリーン、オフセット及びグラビア印刷方式から選択された一の印刷方式にてカラーインクで印刷してもよい。
【００４３】
ここで、基材層１１５の上面又は下面はその全体を単一色相で印刷してもよいが、これに限定されず、基材層１１５の上面又は下面の全体を複数の領域に区画し、それぞれの領域に相違する色相を印刷しても、特定の色相を繰り返して印刷してもよい。
【００４４】
このように基材層１１５に印刷される色相などは、後述するようにデザイン層１１７が透明ホログラムフィルムから形成される場合、透明ホログラムフィルムに投影されてさらに独特な色相を発現する。
【００４５】
また、図示しないが、基材層１１５の上面及び下面にはアルミニウム（Ａｌ）、ニッケル（Ｎｉ）、クロム（Ｃｒ）などからなる金属薄膜が蒸着されていてもよい。金属薄膜は積層厚さによって透明又は不透明に製作される。このような基材層１１５に蒸着された金属薄膜によって多様な金属感及びホログラム効果を提供することが可能となる。
【００４６】
本実施形態において、デザイン層１１７は、基材層１１５の上面に、又は基材層１１５と粘着層１１３の間に積層された透明又は不透明のフィルム又はシートであってもよい。
【００４７】
さらに、デザイン層１１７としては、基材フィルムの一面に多様なホログラム柄、文様などが形成された透明ホログラムフィルムを用いることができる。ホログラムフィルムは観察方向によって色相や文様などが多様に変化する。
【００４８】
そして、透明ホログラムフィルムに用いられる基材フィルムは前述した基材層１１５の材質と同一又は類似の高分子樹脂から製造することができる。
【００４９】
一方、透明ホログラムフィルム又はシートからなるデザイン層１１７はゴワゴワした（ｓｔｉｆｆ）材質からなるので、特に３次元曲面を有するネイル本体Ｍに付着させると、デザイン層１１７にしわなどが生じるおそれがある。
【００５０】
よって、本実施形態では、デザイン層１１７に複数の第１完全切断線１１８を形成することにより、ネイル本体Ｍにデザイン層１１７を付着させる際にデザイン層１１７に生じるしわの形成を防止している。すなわち、平面状のデザイン層１１７を３次元曲面状のネイル本体Ｍに付着させるとき、ネイル本体Ｍの曲率によってはデザイン層１１７にしわなどが生じることがあるが、このようなしわは、デザイン層１１７に形成された第１完全切断線１１８の長さ、形状、間隔などを調節することによって防止可能である。
【００５１】
具体的には、図４に示すように、デザイン層１１７は、複数の第１完全切断線１１８によって区画され、粘着層１１３を介してネイル本体Ｍに粘着される複数の単位デザイン層１１７ａを含む。すなわち、デザイン層１１７は複数の第１完全切断線１１８によって複数の単位デザイン層１１７ａに区画されている。
【００５２】
そして、第１完全切断線１１８の一側端はデザイン層１１７の外面を切り込む。そして、デザイン層１１７の長手方向（Ｙ方向）に配置された第１完全切断線１１８の他側端はデザイン層１１７の長手方向（Ｙ方向）の外面から内側に向ってデザイン層１１７の長さの少なくとも５％以上に亘ってデザイン層１１７を切り込み、デザイン層１１７の幅方向（Ｘ方向）に配置された第１完全切断線１１８の他側端はデザイン層１１７の幅方向（Ｘ方向）の外面から内側に向ってデザイン層１１７の幅の少なくとも５％以上に亘ってデザイン層１１７を切り込む。ここで、デザイン層１１７の長手方向（Ｙ方向）及び幅方向（Ｘ方向）の両側に配置される第１完全切断線１１８の他側端がデザイン層１１７の長さ及び幅の５０％である場合には、図４（ｂ）及び図４（ｃ）に示すように、デザイン層１１７を貫通して切り込むことになる。
【００５３】
また、デザイン層１１７に形成された第１完全切断線１１８の全長はデザイン層１１７の外面の長さの３〜５００％であり、第１完全切断線１１８の総面積はデザイン層１１７の表面積の０．５〜２５％であることが好ましい。ここで、第１完全切断線の総面積はデザイン層１１７に形成された第１完全切断線１１８の幅に長さを乗じた値である。
【００５４】
第１完全切断線１１８の全長が３％未満、且つ第１完全切断線の総面積が０．５％未満の場合、デザイン層１１７にしわが生じるおそれがあり、第１完全切断線１１８の全長が５００％を超え、且つ第１完全切断線の総面積が２５％を超える場合、デザイン層１１７自体の剛性が低下するおそれがある。
【００５５】
具体的には、図４（ａ）、図４（ｂ）及び図４（ｃ）に示すように、複数の第１完全切断線１１８は、デザイン層１１７に形成されており、所定の幅を有する複数の直線形完全切断線ｃ１を含んでいてもよい。図４（ａ）及び図４（ｂ）で第１完全切断線１１８はデザイン層１１７の長手方向（Ｙ方向）及び幅方向（Ｘ方向）に交差するように形成され、図４（ｃ）で第１完全切断線１１８は斜線方向に交差するように形成されている。
【００５６】
また、図４（ｄ）に示すように、他の実施形態に係る複数の第１完全切断線１１８は、デザイン層１１７に形成されており、デザイン層の外面から内側に向うに従って幅が減少又は増加する複数のテーパー形状の完全切断線ｃ２を含んでいてもよい。また、図４（ｅ）に示すように、さらに他の実施形態に係る複数の第１完全切断線１１８は、デザイン層１１７に形成された複数の直線状の完全切断線ｃ１とデザイン層１１７に形成された複数のテーパー形状の完全切断線ｃ２とを含んでいてもよい。
【００５７】
一方、図４（ａ）、図４（ｄ）及び図４（ｅ）に示すように、デザイン層１１７は、第１完全切断線１１８の間に形成されており、複数の単位デザイン層１１７ａの分離を防止する連結部１１９をさらに含んでいてもよい。
【００５８】
複数の第１完全切断線１１８によってデザイン層１１７が複数の単位デザイン層１１７ａに区画されている場合、複数の第１完全切断線１１８によって単位デザイン層１１７ａが個々の片に分離されないように連結部１１９が設けられている。すなわち、デザイン層１１７が個々の片に分離しないように、２本の第１完全切断線１１８が互いに連結されているか、１本の第１完全切断線１１８がデザイン層１１７を一端側から他端側に貫通しているが、本実施形態のように、第１完全切断線１１８の間に連結部１１９が設けられている。
【００５９】
また、図４（ｆ）に示すように、さらに他の実施形態に係る複数の第１完全切断線１１８は直線形完全切断線ｃ１とテーパー形完全切断線ｃ２とを備えており、デザイン層１１７を複数の単位デザイン層１１７ａに分離することができる。ここで、分離されたそれぞれの単位デザイン層１１７ａの下面に基材層１１５及び粘着層１１３を設けてもよい。
【００６０】
また、図４（ｇ）に示すように、さらに他の実施形態に係る複数の第１完全切断線１１８は、デザイン層１１７に所定の幅を有する曲線状の完全切断線ｃ３を含んでいてもよい。ここで、曲線状の完全切断線ｃ３によってデザイン層１１７は複数の単位デザイン層１１７ａに分離されていてもよいが、曲線状の完全切断線ｃ３の間に連結部（図示せず）を備えることによって複数の単位デザイン層１１７ａが分離しないようにしてもよい。
【００６１】
なお、図４（ａ）〜図４（ｇ）には本実施形態に係るデザイン層１１７に形成された第１完全切断線１１８を例示的に示したが、本発明の権利範囲はこれに限定されない。
【００６２】
一方、図３（ａ）に示すように、基材層１１５がデザイン層１１７と粘着層１１３の間に介在する場合、及び図３（ｃ）に示すように、基材層１１５がデザイン層１１７の上面に積層される場合には、デザイン層１１７に形成された複数の第１完全切断線１１８の位置に対応して基材層１１５に複数の第２完全切断線１１６を形成してもよい。
【００６３】
基材層１１５もゴワゴワした（ｓｔｉｆｆ）材質からなるので、３次元曲面を有するネイル本体Ｍに付着させる際にしわなどが生じることがあるので、第１完全切断線１１８の位置に対応して基材層１１５に複数の第２完全切断線１１６を形成する。
【００６４】
また、図３（ｂ）及び図３（ｄ）に示すように、デザイン層１１７に形成された複数の第１完全切断線１１８と基材層１１５に形成された複数の第２完全切断線１１６の位置に対応して、粘着層１１３に複数の第３完全切断線１１４を形成してもよい。
【００６５】
両面テープなどを粘着層１１３として用いる場合、両面テープが３次元曲面を有するネイル本体Ｍに付着される場合にもしわなどが生じるおそれがあるので、第１完全切断線１１８及び第２完全切断線１１６の位置に対応して粘着層１１３に複数の第３完全切断線１１４を形成してもよい。
【００６６】
本実施形態に係る転写体１３０，１３０ａは、離型紙１１１に粘着されたデザイン層１１７、基材層１１５及び粘着層１１３を一体的に離型紙１１１から容易に剥離した後、ネイル本体Ｍに容易に付着させる役割を有する。
【００６７】
図１に示すように、一実施形態に係る転写体１３０は、本体部１３１と、本体部１３１から延伸して折り曲がるように形成された押圧部１３３と、押圧部１３３の下面に付着された粘着部１３５とを含む。
【００６８】
本体部１３１は、使用者又は作業者が把持可能なように長い棒状に形成すればよいが、本発明の権利範囲はこれに限定されず、使用者が把持可能であれば任意の形態であってもよい。
【００６９】
そして、押圧部１３３は本体部１３１の一端又は両端から延伸して折り曲がるように形成され、使用者が指などで上面を押圧できるように平面状に形成してもよい。
【００７０】
また、押圧部１３３は所定の曲率半径を有する曲面形状に形成してもよい。押圧部１３３が曲面形状に形成される場合、図５（ａ）に示すように、図１のＡ方向に見た押圧部１３３の幅方向の曲率半径Ｒ１は１０〜３６０ｍｍであり、図５（ｂ）に示すように、図１のＢ方向に見た押圧部１３３の長手方向の曲率半径Ｒ２は３０〜４００ｍｍである。
【００７１】
そして、押圧部１３３の下面には後述する粘着部１３５が着脱可能に付着されている。
【００７２】
また、押圧部１３３が本体部１３１の両端に形成される場合、ステッカー１１０のデザイン層１１７又は基材層１１５などの大きさに対応して大きさを変えればよい。
【００７３】
そして、粘着部１３５はステッカー１１０の最上部に位置するデザイン層１１７又は基材層１１５を粘着して、離型紙１１１からデザイン層１１７、基材層１１５及び粘着層１１３を一体的に剥離させる役割を有する。また、デザイン層１１７などは粘着部１３５に粘着された状態でネイル本体Ｍの上面に転写される。
【００７４】
具体的には、離型紙１１１に粘着されたデザイン層１１７又は基材層１１５の上面に粘着部１３５を接触させ、押圧部１３３を指などで押圧してデザイン層１１７、基材層１１５及び粘着層１１３を一体的に粘着部１３５に粘着させた後、デザイン層１１７などを離型紙１１１から剥離させる。そして、デザイン層１１７などが粘着部１３５に粘着された状態でデザイン層１１７などをネイル本体Ｍの上面に接触させ、押圧部１３３を指などで押圧して、粘着部１３５に粘着されたデザイン層１１７などをネイル本体Ｍに付着させる。
【００７５】
粘着部１３５はクッションを有するシート（ｓｈｅｅｔ）又はフォーム（ｆｏａｍ）の形態に製造すればよい。これは、粘着部１３５を押圧してデザイン層１１７又は基材層１１５を粘着部１３５に粘着させるに際して、粘着部１３５に粘着されるデザイン層１１７又は基材層１１５の表面積を最大化し、粘着部１３５の押圧によるデザイン層１１７又は基材層１１５の破損、毀損などを防止するためである。
【００７６】
また、粘着部１３５は押圧部１３３の下面の全体又は一部領域に付着させてもよい。
【００７７】
また、粘着部１３５は、粘着力を有するように、オレフィン樹脂、アクリル樹脂、ウレタン樹脂、シリコン樹脂及びゴムから選択されたいずれか１種又は２種以上の混合物からなる材質から形成されてもよい。
【００７８】
そして、デザイン層１１７などをネイル本体Ｍに付着させるためには、デザイン層１１７などの下部に設けられた粘着層１１３とネイル本体Ｍ間の粘着力がデザイン層１１７又は基材層１１５と粘着部１３５間の粘着力よりも相対的に大きくなければならない。
【００７９】
具体的には、粘着部１３５の粘着力は５〜１５，０００ｇｆ／ｉｎであることが好ましい。
【００８０】
例えば、デザイン層１１７などをネイル本体Ｍに付着させる場合、粘着部１３５の粘着力が５ｇｆ／ｉｎ未満の場合にはデザイン層１１７、基材層１１５及び粘着層１１３を一体的に離型紙１１１から剥離させることが容易でないおそれがあり、粘着部１３５の粘着力が１５，０００ｇｆ／ｉｎを超える場合にはデザイン層１１７などがネイル本体Ｍに付着させる転写割合が低下するおそれがある。よって、粘着部１３５の粘着力は５〜１５，０００ｇｆ／ｉｎであることが好ましい。
【００８１】
一方、粘着部１３５にデザイン層１１７などを粘着させる、又は粘着部１３５に粘着されたデザイン層１１７などをネイル本体Ｍに付着させる場合、使用者は、本体部１３１を把持した状態で指などで押圧部１３３を押圧して粘着部１３５にデザイン層１１７などを粘着させる、又はデザイン層１１７などをネイル本体Ｍに付着させる。このように繰り返してデザイン層１１７などを接触させて押圧する場合、押圧後に本体部１３１は弾性復元できるものでなければならない。このために、本体部１３１は弾性復元可能な材質から製造される。
【００８２】
例えば、本体部１３１は、オレフィン樹脂、アクリル樹脂、ウレタン樹脂、シリコン樹脂及びゴムから選択されたいずれかの１種又は２種以上の混合物からなる材質から形成すればよい。
【００８３】
一方、図２に示すように、他の実施形態に係る転写体１３０ａは高さ方向に複数個積層された単位転写体１３１ａを含む。すなわち、複数の単位転写体１３１ａが高さ方向に積層されて単一転写体１３０ａを構成する。そして、それぞれの単位転写体１３１ａは、本体部１３３ａと本体部１３１ａの下面に付着されている粘着部１３５ａとを備える。
【００８４】
本体部１３３ａは、ポリ塩化ビニル（Ｐｏｌｙ  Ｖｉｎｙｌ  Ｃｈｌｏｒｉｄｅ；ＰＶＣ）、ポリエチレン（ｐｏｌｙｅｔｈｙｌｅｎｅ；ＰＥ）、ポリウレタン（ｐｏｌｙｕｒｅｔｈａｎｅ；ＰＵ）、ポリプロピレン（ｐｏｌｙｐｒｏｐｙｌｅｎｅ；ＰＰ）、ポリエチレンフタレート（Ｐｏｌｙｅｔｈｙｌｅｎｅ  ｐｈｔｈａｌａｔｅ；ＰＥＴ）、ポリオレフィンエラストマー（Ｐｏｌｙｏｌｅｆｉｎ  Ｅｌａｓｔｏｍｅｒ；ＰＯＥ）、エチレン酢酸ビニル共重合体（ｅｔｈｙｌｅｎｅ−ｖｉｎｙｌ  ａｃｅｔａｔｅ  ｃｏｐｏｌｙｍｅｒ；ＥＶＡ）及びアクリル（ａｃｒｙｌｉｃ）系樹脂などから選択されたいずれか１種、又はこれらの重合体からなるフィルム又はシートであってもよい。そして、他の実施形態に係る粘着部１３５ａは前述した一実施形態に係る粘着部１３５と同一であるので、これについての詳細な説明は省略する。
【００８５】
他の実施形態に係る転写体１３０ａを用いたデザイン層１１７などの転写工程は、離型紙１１１に粘着されたデザイン層１１７又は基材層１１５の上面に粘着部１３５ａを接触させ、粘着部１３５ａの上部に位置する本体部１３３ａを指などで押圧してデザイン層１１７、基材層１１５及び粘着層１１３を一体的に粘着部１３５ａに粘着させた後、デザイン層１１７などを離型紙１１１から剥離させる。そして、デザイン層１１７などが粘着部１３５ａに粘着された状態でデザイン層１１７などをネイル本体Ｍの上面に接触させ、本体部１３３ａを指などで押圧して、粘着部１３５ａに粘着されたデザイン層１１７などをネイル本体Ｍに付着させる。なお、本実施形態に係る転写体１３０ａを構成する粘着部１３５ａは前述した実施形態に係る転写体１３０を用いたデザイン層１１７などの転写工程と同様であるので、これについての詳細な説明は省略する。
【００８６】
このように、粘着部１３５ａを繰り返して使用する場合、粘着部１３５ａの粘着力が低下するが、粘着部１３５ａの粘着力が低下した場合、当該粘着部１３５ａを備える単位転写体１３１ａを転写体１３０ａから分離させた後、新しい単位転写体１３１ａに備わる粘着部１３５ａを用いてデザイン層１１７などをネイル本体Ｍに付着させる作業を行う。
【００８７】
前記のように構成される本発明の実施形態に係る人造ネイル用転写組立セット１００を用いたステッカー転写方法を説明すれば次の通りである。
【００８８】
図６は本発明に係るステッカー転写方法を示すフローチャート、図７は本発明に係り、ステッカーからデザイン層を剥離させる動作を示す動作状態図、図８は本発明に係り、ネイル本体にデザイン層を付着させる動作を示す動作状態図である。以下では、一実施形態に係る転写体１３０を用い、離型紙１１１の上部に順に粘着層１１３、基材層１１５及びデザイン層１１７が順に積層されている場合を例として説明する。
【００８９】
図６を参照して、ステッカー１１０の離型紙１１１に粘着層１１３を介して一体的に粘着されているデザイン層１１７、基材層１１５及び粘着層１１３を転写体１３０の粘着部１３５に粘着させる（Ｓ１００）。
【００９０】
具体的には、粘着部１３５にデザイン層１１７、基材層１１５及び粘着層１１３を一体的に粘着させる動作（Ｓ１００）は、図７（ａ）に示すように、まず、転写体１３０に備わる押圧部１３３の下面に設けられた粘着部１３５をデザイン層１１７の上面に接触させる（Ｓ１１０）。
【００９１】
そして、図７（ｂ）に示すように、粘着部１３５をデザイン層１１７に接触させた状態で押圧部１３３の上面を押圧して、デザイン層１１７を粘着部１３５に粘着させる（Ｓ１３０）。
【００９２】
そして、図７（ｃ）に示すように、デザイン層などが一体的に粘着部１３５に粘着された状態で転写体１３０を持ち上げる（上昇させる）ことにより、デザイン層１１７などをステッカー１１０の離型紙１１１から剥離させる（Ｓ１５０）。
【００９３】
次いで、デザイン層１１７などが一体的に粘着された転写体１３０をネイル本体Ｍに転写し、ネイル本体Ｍにデザイン層１１７などを付着させる（Ｓ２００）。
【００９４】
具体的には、ネイル本体Ｍにデザイン層１１７などを付着させる動作（Ｓ２００）は、図８（ａ）に示すように、まず、デザイン層１１７などが粘着された転写体１３０をネイル本体Ｍの上部に転写し、デザイン層１１７の下部に設けられた粘着層１１３を対象物の上面に接触させる（Ｓ２１０）。
【００９５】
そして、図８（ｂ）に示すように、押圧部１３３の上面を押圧し、ネイル本体Ｍの曲面に沿って押圧部１３３及び粘着部１３５を回動させてデザイン層１１７などをネイル本体Ｍの上面に付着させた後、転写体１３０を持ち上げる（Ｓ２３０）。
【００９６】
前記のように、本発明に係る人造ネイル用転写組立セット１００を用いたステッカー転写方法は、転写体１３０の粘着部１３５にデザイン層１１７を粘着させて、離型紙１１１からデザイン層１１７、基材層１１５及び粘着層１１３を一体的に剥離した後、デザイン層１１７などを粘着部１３５に粘着した状態でネイル本体Ｍに転写した後、ネイル本体Ｍの上面にデザイン層１１７などを接触押圧する動作だけでデザイン層１１７などを３次元曲面を有するネイル本体Ｍにしわなく容易に付着させることができる。
【００９７】
また、転写体１３０を用いてステッカー１１０に粘着されたデザイン層１１７などを容易にネイル本体Ｍに付着させることができるので、作業時間の短縮及び作業能率の向上を図ることが可能となる。
【００９８】
図９は本発明に係る人造ネイルを示す斜視図、図１０は本発明に係る人造ネイルを示す断面図である。
【００９９】
図９（ａ）〜図９（ｃ）は、図４（ａ）〜図４（ｃ）に示すように第１完全切断線１１８が直線形状の完全切断線ｃ１を有するデザイン層１１７をネイル本体Ｍに付着させた人造ネイル２００を示す。そして、図９（ａ）は、図４（ａ）に示すように第１完全切断線１１８の間に備わる連結部１１９を示す。
【０１００】
そして、図９（ｄ）は、図４（ｄ）に示すように第１完全切断線１１８がテーパー形状の完全切断線ｃ２を有するとともに連結部１１９を備えたデザイン層１１７をネイル本体Ｍに付着させた人造ネイル２００を示す。
【０１０１】
そして、図９（ｅ）は、図４（ｅ）に示すように第１完全切断線１１８が直線状の完全切断線ｃ１とテーパー形状の完全切断線ｃ２を有するとともに連結部１１９を備えたデザイン層１１７をネイル本体Ｍに付着させた人造ネイル２００を示す。
【０１０２】
そして、図９（ｆ）は、図４（ｆ）に示すように第１完全切断線１１８が直線状の完全切断線ｃ１とテーパー形状の完全切断線ｃ２を有し、且つこれらがデザイン層１１７を一端側から他端側に貫通することによって分離された複数の単位デザイン層１１７ａを有するデザイン層１１７をネイル本体Ｍに付着させた人造ネイル２００を示す。
【０１０３】
そして、図９（ｇ）は、図４（ｇ）に示すように第１完全切断線１１８が曲線状の完全切断線ｃ３を有するデザイン層１１７をネイル本体Ｍに付着させた人造ネイル２００を示す。
【０１０４】
また、図１０（ａ）は、ネイル本体Ｍの上面に粘着層１１３、基材層１１５、デザイン層１１７の順に積層した状態で、デザイン層１１７と基材層１１５にそれぞれ第１完全切断線１１８及び第２完全切断線１１６が形成された状態を示す。
【０１０５】
そして、図１０（ｂ）は、ネイル本体Ｍの上面に粘着層１１３、基材層１１５、デザイン層１１７の順に積層された状態で、デザイン層１１７、基材層１１５及び粘着層１１３にそれぞれ第１完全切断線１１８、第２完全切断線１１６及び第３完全切断線１１４が形成された状態を示す。
【０１０６】
そして、図１０（ｃ）は、ネイル本体Ｍの上面に粘着層１１３、デザイン層１１７、基材層１１５の順に積層した状態で、基材層１１５及びデザイン層１１７にそれぞれ第２完全切断線１１６及び第１完全切断線１１８が形成された状態を示す。
【０１０７】
そして、図１０（ｄ）は、ネイル本体Ｍの上面に粘着層１１３、デザイン層１１７及び基材層１１５が順に積層した状態で、基材層１１５、デザイン層１１７及び粘着層１１３にそれぞれ第２完全切断線１１６、第１完全切断線１１８及び第３完全切断線１１４が形成された状態を示す。
【０１０８】
前記のように、本発明に係る人造ネイル２００はデザイン層１１７に形成された複数の第１完全切断線１１８によってネイル本体Ｍにしわなく付着され、複数の第１完全切断線１１８によって区画された複数の単位デザイン層１１７ａが観察角度に応じてきらめきや色相が変わるので、外観がさらに美麗にさせることが可能となる。
【０１０９】
人造ネイル用転写組立セットを用いたステッカー転写方法は、転写体１３０の粘着部１３５にデザイン層１１７又は基材層１１５を粘着させて、離型紙１１１からデザイン層１１７、基材層１１５及び粘着層１１３を一体的に剥離した後、デザイン層１１７などを粘着部１３５に粘着した状態でネイル本体Ｍに転写した後、ネイル本体Ｍの上面にデザイン層１１７などを接触押圧する動作だけで、デザイン層１１７などを３次元曲面を有するネイル本体Ｍにしわが生じることなく容易に付着させることが可能となる。また、転写体１３０を用いて、ステッカー１１０に粘着されたデザイン層１１７などを容易にネイル本体Ｍに付着させることができるので、作業時間の短縮及び作業能率の向上を図ることが可能となる。
【０１１０】
なお、本発明は記載された実施形態に限定されるものではなく、本発明の思想及び範囲を逸脱せずに多様に修正及び変形することが可能なことは、当該技術分野において通常の知識を有する者にとって明らかである。したがって、そのような修正例又は変形例は本発明の特許請求の範囲に属すると言える。
【産業上の利用可能性】
【０１１１】
本発明は、ネイル本体に付着されるデザイン層に完全切断線を形成することにより、ネイル本体にデザイン層を付着させる際におけるしわなどの発生を防止することができ、さらに観察角度に応じてきらめきや色相が変わるので、外観の美麗化を図ることができる。
【図１】
2019514608.tif 000003
【図２】
2019514608.tif 000004
【図３】
2019514608.tif 000005
【図４】
2019514608.tif 000006
【図５】
2019514608.tif 000007
【図６】
2019514608.tif 000008
【図７】
2019514608.tif 000009
【図８】
2019514608.tif 000010
【図９】
2019514608.tif 000011
【図１０】
2019514608.tif 000012
【国際調査報告】
2019514608.tif 000013
2019514608.tif 000014
2019514608.tif 000015
2019514608.tif 000016
2019514608.tif 000017
2019514608.tif 000018